(57)【要約】【課題】複数の枚葉紙を折るための方法及び及び折り機を提供し、デザインに関するわずかな手間及び高い生産能力により、デジタル印刷により製造された枚葉紙を本又はパンフレットの形に処理する。【解決手段】第１及び第２バックルプレートとに第１及び第２枚葉紙ストップとをそれぞれ設け、該第１枚及び第２枚葉紙ストップの間に、反対方向に回転する折りローラを有する少なくとも１つの折りローラ対を配置し、枚葉紙を、第１枚葉紙ストップに当接するまで前記第１バックルプレート内へ一枚ずつ搬送し、枚葉紙を第１バックルプレート内に集めて枚葉紙のグループを形成し、該枚葉紙のグループを、前記バックルプレートに後続する折りローラ対の方向に、該折りローラ対によって把持されるまで変位させ、次いで、折るために、さらに前記枚葉紙のグループを、前記第２枚葉紙ストップに当接するまで前記第２バックルプレート内に搬送する。【選択図】図４
2004338951.tif 000002
【特許請求の範囲】
【請求項１】
少なくとも第１バックルプレートと第２バックルプレートと有するバックルフォルダで複数の枚葉紙を折る方法であって、前記第１バックルプレートと第２バックルプレートとに、第１枚葉紙ストップと第２枚葉紙ストップとをそれぞれ設け、該第１枚葉紙ストップと第２枚葉紙ストップとの間に、反対方向に回転する折りローラを有する、少なくとも１つの折りローラ対を配置し、前記第１枚葉紙ストップに当接するまで枚葉紙を前記第１バックルプレート内へ一枚ずつ搬送し、前記枚葉紙を第１バックルプレート内に集めて枚葉紙のグループを形成し、次いで、該枚葉紙のグループを、枚葉紙走行方向で見て、前記バックルプレートに後続する折りローラ対の方向に、該折りローラ対によって把持されるまで変位させ、次いで、折るために、さらに前記枚葉紙のグループを、前記第２枚葉紙ストップに当接するまで前記第２バックルプレート内に搬送することを特徴とする、バックルフォルダで複数の枚葉紙を折る方法。
【請求項２】
前記第１バックルプレートに集められて枚葉紙のグループの形に形成された前記枚葉紙を、枚葉紙走行方向に対して横方向に延びる折り線に沿って共に綴じる、請求項１記載の方法。
【請求項３】
前記折りローラ対による前記枚葉紙のグループの把持に引き続いて、該枚葉紙のグループを変向し、次いで、別の折りローラ対によって前記第２バックルプレート内へ搬送する、請求項１記載の方法。
【請求項４】
前記搬送された枚葉紙を検出システムによって同定し、枚葉紙のグループに集められる最終枚葉紙の同定時に、前記第１バックルプレート内へのさらなる枚葉紙の搬送を、前記枚葉紙のグループが第１バックルプレートを去るまで遅延する、請求項１記載の方法。
【請求項５】
少なくとも第１バックルプレートと第２バックルプレートとを備えたバックルフォルダを有する折り機であって、前記第１バックルプレートと第２バックルプレートとに、それぞれ第１枚葉紙ストップと第２枚葉紙ストップとが設けられており、該第１枚葉紙ストップと第２枚葉紙ストップとの間に、反対方向に回転する折りローラを備えた折りローラ対が設けられており、前記第１バックルプレートが、制御装置により制御された変位装置を有しており、該変位装置により、第１バックルプレートに集められた枚葉紙のグループが、枚葉紙走行方向で見て前記第１バックルプレートに後続する折りローラ対の方向に変位されることを特徴とする、バックルフォルダを有する折り機。
【請求項６】
前記変位装置が、前記第１枚葉紙ストップにより形成されており、該第１枚葉紙ストップが、駆動装置によって、前記第１バックルプレートの長手方向に変位可能になっている、請求項５記載の折り機。
【請求項７】
枚葉紙走行方向で見て前記バックルフォルダの上流側に、枚葉紙スタックからバックルフォルダに給紙するための枚葉紙給紙手段が配置されており、該枚葉紙給紙手段に検出システムが対応配置されており、該検出システムが、給紙された枚葉紙を同定するために設けられおり、前記制御装置に接続されており、該制御装置が、枚葉紙給紙手段を次のように制御する、すなわち、前記検出システムによって所定の枚葉紙が同定された場合に、さらなる枚葉紙の給紙が遅延されるように制御する、請求項５記載の折り機。
【請求項８】
前記第１バックルプレートに綴じ装置が設けられており、該綴じ装置によって、前記枚葉紙のグループが、枚葉紙走行方向に対して横方向に延びる折り線に沿って、共に綴じられる、請求項５記載の折り機。
【請求項９】
前記綴じ装置が、ステープルが、上方から枚葉紙のグループに貫通係合するように配置され、かつデザインされている、請求項８記載の折り機。
【請求項１０】
前記綴じ装置が、ステープルが、下方から枚葉紙のグループに貫通係合するように配置され、かつデザインされている、請求項８記載の折り機。
【請求項１１】
前記第１バックルプレートに、該第１バックルプレートに進入する枚葉紙を横方向に整列するための整列装置が配置されており、該整列装置が、該サイドストップが、互いに反対側に間隔を置いて配置された２つのサイドストップを有しており、該２つのサイドストップの内の少なくとも一方が、他方に関連して、枚葉紙走行方向に対して横方向に変位され得るようになっている、請求項５記載の折り機。
【請求項１２】
変位可能な前記サイドステップが、駆動装置により駆動される、請求項１１記載の折り機。
【請求項１３】
変位可能な前記サイドステップが、弾性的な装置の力に抗して変位され得る、請求項１１記載の折り機。
【発明の詳細な説明】
【技術分野】
【０００１】
本発明は、バックルフォルダで複数の枚葉紙を折るための方法及びバックルフォルダを有する折り機に関する。
【背景技術】
【０００２】
ドイツ実用新案第９１０４８１０．９号明細書は折り機を開示しており、この折り機は、複数のバックルプレートを備えたバックルフォルダを有している。このバックルフォルダの上流には、整列テーブルが配置されており、この整列テーブルでは、枚葉紙スタックから取り出された枚葉紙が整列され、バックルフォルダに搬送される。整列テーブルの上方には、複数枚葉紙センサが配置されており、このセンサは、枚葉紙が給紙機から整列テーブルの搬送表面に引き渡される場合に、一枚ずつ引き渡されたか、又はオーバラップした形で引き渡されたかを検出するように設計されている。
【０００３】
この形の折り機の場合には、枚葉紙は一枚ずつ枚葉紙スタックから取り出され、バックルフォルダへ搬送され、このバックルフォルダ内で、一枚ずつ個々に折り畳まれる。
【０００４】
伝統的な製本では、枚葉紙は枚葉紙スタックで印刷され、枚葉紙スタックでさらに処理される。最初の枚葉紙スタックを折る操作には、次の枚葉紙スタックを折る操作が後続する。この次の枚葉紙スタックは、同様に完全なバッチに相当する数の次の枚葉紙を有している。次いで、折り機では個々の枚葉紙スタックが順次に処理される。その後には、本の折り畳まれた枚葉紙が丁合いされ、ギャングスティッチャ又は接着バインダで綴じられる。
しかしながら、枚葉紙がデジタル印刷機により印刷される場合、本の全ての枚葉紙を順次に印刷し、かつ枚葉紙スタックに積載することが可能である。通常、本の８ページ又は１６ページが枚葉紙に印刷される。
【特許文献１】ドイツ実用新案第９１０４８１０．９号明細書
【発明の開示】
【発明が解決しようとする課題】
【０００５】
本発明の課題は、複数の枚葉紙を折るための方法及び及び折り機を提供し、これにより、デザインに関するわずかな手間及び高い生産能力により、デジタル印刷により製造された枚葉紙を本又はパンフレットの形に処理することができるようにすることである。
【課題を解決するための手段】
【０００６】
この課題は、少なくとも第１バックルプレートと第２バックルプレートとを有するバックルフォルダで複数の枚葉紙を折る方法により解決される。前記第１バックルプレートには第１枚葉紙ストップが、第２バックルプレートには第２枚葉紙ストップがそれぞれ設けられており、これらの第１枚葉紙ストップと第２枚葉紙ストップとの間には、反対方向に回転する折りローラを有する、少なくとも１つの折りローラ対が配置されており、この場合に、枚葉紙は、第１枚葉紙ストップに当接するまで第１バックルプレート内に一枚ずつ搬送され、前記枚葉紙は、前記第１バックルプレート内に集められて枚葉紙のグループを形成し、次いで、この枚葉紙のグループは、枚葉紙走行方向で見て第１バックルプレートに後続する折りローラ対の方向に、これらの折りローラによって把持されるまで変位され、次いで、さらに折られるために、前記第２枚葉紙ストップに当接するまで、前記第２バックルプレート内に搬送される。
【発明の効果】
【０００７】
本発明による方法及び本発明による折り機は、枚葉紙が折り機を通過した後に丁合いされることなしに、異なったページ数を有する完全な本を製造するために用いることができる。このことは、生産能力を増大させる。
【０００８】
本発明の方法を実施するための折り機は、バックルフォルダを有しており、このバックルフォルダは、少なくとも第１バックルプレートと第２バックルプレートとを有しており、第１バックルプレートには第１枚葉紙ストップが、第２バックルプレートには第２枚葉紙ストップがそれぞれ設けられており、これらの第１バックルプレートと第２バックルプレートとの間には、反対方向に回転する折りローラを備えた、少なくとも１つの折りローラ対が設けられており、この場合に、前記第１バックルプレートは、制御装置により制御される変位装置を有しており、この変位装置により、第１バックルプレートに集められた枚葉紙のグループは、枚葉紙走行方向で見て、第１バックルプレートに続く折りローラ対の方向に変位せしめられる。
【０００９】
第１バックルプレートに集められ、枚葉紙のグループを形成した枚葉紙は、有利には綴じ装置によって上方から又は下方から、枚葉紙走行方向に対して横方向に延びる折り線に沿って共に綴じられ、次いでこの折り線に沿って枚葉紙のグループが折られる。枚葉紙のグループの代わりに、綴じ装置は、既に折られた枚葉紙を綴じることも可能であり、これらの折られた枚葉紙はバックルプレート内に個々に導入される。
【００１０】
有利な実施例では、搬送された枚葉紙は検出システムによって同定され得るようになっており、この場合、枚葉紙のグループの最終枚葉紙の同定時には、第１バックルプレート内へのさらなる枚葉紙の搬送は、前記枚葉紙のグループが収集ポケットを去るまで遅延される。このために、枚葉紙間隔の増大が、吸着ホイールの吸着サイクルの間隔によってもたらされる。
【００１１】
前記検出システムは、有利には制御装置によって次のように制御され得る、すなわち、枚葉紙のグループの大きさを折り機の処理に伴って適合させることができるように制御され得る。
【００１２】
枚葉紙のグループから集められた枚葉紙の正確な整列を達成するためには、バックルプレートに整列装置が設けられていてよい。この整列装置は２つのサイドストップを有しており、これらのサイドストップは、互いに反対側に間隔を置いて配置されており、前記サイドステップの内の少なくとも一方は、駆動装置又は弾性的な装置により、枚葉紙走行方向に対して横方向に、他方のサイドステップに関連して変位させることができる。
【発明を実施するための最良の形態】
【００１３】
次に本発明の実施例を図面につき以下にさらに詳しく説明する。
【００１４】
図１に示された折り機１０は、バックルフォルダ１２を有しており、このバックルフォルダ１２には、第１バックルプレート装置１４及び第２バックルプレート装置１６が設けられている。前記バックルフォルダ１２の上流には、公知の形式で整列テーブル１８が設けられており、この整列テーブル１８を用いて、留枚葉紙２０に配置された最上部の枚葉紙スタック２２から吸着ホイール２４により取り出さた複数の枚葉紙は、整列され、バックルフォルダ１２に搬送される。吸着ホイール２４に隣接して、検出システムとしてバーコードリーダ２６が整列テーブル１８の上方に配置されており、このバーコードリーダ２６は、制御装置（図示しない）に接続されており、この制御装置に検出信号を伝達する。それぞれ１冊の本を処理するために意図された複数の枚葉紙スタック２２が、残留枚葉紙２０に上下に配置されている。個々の異なった複数枚葉紙が、デジタル印刷機によって印刷され、所定の順序で枚葉紙スタック２２に載積されている。
【００１５】
図２に示したように、バックルフォルダ１２は、斜め上方へ向かって延びる第１バックルプレート３０と、斜め下方へ向かって反対方向に延びる第２バックルプレート３４とを有している。これらの２つのバックルプレートは、公知の形式で、互いに平行に、かつ等しい角度の傾斜をもって配置されている。第１バックルプレート３０の開口の上流には、上側の折りローラ３８と下側折りローラ４０とを備えた、垂直方向の第１折りローラ対３９が設けられている。水平方向の第２折りローラ対４１が、折りローラ４０と折りローラ４２とにより形成されており、これらの折りローラ４０，４２の間のニップは、第１バックルプレート３０開口及び第２バックルプレート３４の開口に隣接して配置されている。さらに、折りローラ４２と折りローラ４４とが、第２バックルプレート３４の開口に隣接して垂直方向の第３折りローラ対４３を形成している。
【００１６】
第１バックルプレート３０は枚葉紙ストップ３２を有しており、この枚葉紙ストップ３２は、前記第１バックルプレート３０の長手方向に、すなわち、この実施例の二重矢印Ａの方向に、駆動装置（図示しない）によって変位させることができるようになっており、この駆動装置は、制御装置により制御される。
【００１７】
バックルプレート３０の下方には、綴じ装置が設けられており、この綴じ装置は、２つ又はそれよりも多い綴じ頭（ｂｉｎｄｉｎｇ  ｈｅａｄ）５２（１つのみを示す）を有しており、これらの綴じ頭５２は、折り線３７状に互い間隔をおいて配置されており、この折り線３７に沿って、バックルプレート３０に進入する枚葉紙が引き続き折られる。
【００１８】
図７に示したように、整列装置５７が第１バックルプレート３０に設けられており、この整列装置は、２つのストリップ状のサイドストップ５６，５８を有しており、これらのサイドストップ５６，５８は、枚葉紙走行方向に対して横方向に互いに間隔を置いて配置されており、バックルプレート３０の残留枚葉紙５９の上方に枚葉紙走行方向に延びている。図７に示した右手のサイドストップ５６は固定されているのに対し、左手のサイドストップ５８は、枚葉紙走行方向に対して横方向に、すなわち、矢印Ｂの方向に、例えば空圧式駆動装置（図示しない）によって運動させることができるようになっている。
【００１９】
図２は、枚葉紙５０の進入の前のバックルフォルダ１２を示している。この枚葉紙５０は、整列装置１８によって、第１折りローラ対３９の折りローラ３８，４０の間に設けられたニップへ搬送される。前記枚葉紙５０は、折りローラ３８，４０によって把持されるやいなや、この枚葉紙５０が前記枚葉紙ストップ３２に当接するまで、第１バックルプレート３０のサイドストップ５６，５８の間へ搬送される（図３参照）。この時点では、図２に示した枚葉紙ストップ３２は、駆動装置によって次のように調節されている、すなわち、枚葉紙ストップ３２から離れて配置されている枚葉紙エッジが、枚葉紙５０がストップ３２に当接した場合に、第２折りローラ対４１の折りローラ４０，４２の間に設けられたニップから間隔を置いて配置されているように調節されている。
【００２０】
図３に示したように、上下に重ねて配置された所定数の枚葉紙５０を備えた枚葉紙のグループ５１が前記第１バックルプレート３０内に形成されるまで、複数の枚葉紙５０は、収集ポケットとして働く第１バックルプレート３０内に１枚ずつ搬送される。前記グループ５１の最終の枚葉紙５０が進入してしまうと、枚葉紙のグループ５１がサイドストップ５６に当接するまでこの枚葉紙５０のグループ５１をサイドストップ５６の方向に整列するために、サイドストップ５８が変位せしめられる。次いで、前記枚葉紙のグループ５１は、綴じ頭５２によって折り線３７に沿って綴じられ、この折り線に沿って、枚葉紙のグループ５１が引き続き折られる。この場合に、Ｕ字形のステープル５３が、互いに間隔を置いて、下方から枚葉紙のグループ５１に貫通係合せしめられる。対応プレート（図示しない）が、綴じ頭５２とは反対側の、枚葉紙のグループ５１の側に配置されており、枚葉紙のグループ５１を越えて突出した、ステープル５３の自由な端部が、公知の形式で前記対応プレートによって折り曲げられる。
【００２１】
次いで、第１バックルプレート３０のストップ３２は第２折りローラ対４１の方向に運動せしめられ、これにより、枚葉紙のグループ５１は、このグループ５１の枚葉紙５０の、ストップ３２に向けられていない方のエッジが折りローラ４０，４２によって把持されるまで変位せしめられ、第２バックルプレート３４内へ搬送される。この位置が図５に示されている。枚葉紙のグループ５１が第１バックルプレート３０を去るやいなや、枚葉紙の別のグループ５１のための枚葉紙５２が、第１バックルプレート３０内に導入され得るようになっている。次いで、前記ストップ３２はスタート位置に再び運動せしめられる。前記枚葉紙のグループ５１の枚葉紙５０が、第２バックルプレート３４内に設けられたストップ３６に接触すると、この枚葉紙のグループ５１は曲げられる。なぜならば、枚葉紙のグループ５１の引きずられた縁部は、折りローラ４０，４２によって搬送され続けるからである。これにより、枚葉紙スタック５１には、ステープル５３を固定された折り線３７に沿って折りエッジが形成され、この折りエッジは、第３折りローラ対４１の折りローラ４２，４４によって把持され、これにより、枚葉紙スタック５１は、図６に示したように、走行方向に対して横方向に折られ、第３折りローラペア４３を去る。折られた枚葉紙スタック５１に設けられたステープル５３のクロスピースは、外側で折りエッジを支承している。
【００２２】
バーコードが、枚葉紙のグループ５１の、最後に進入する枚葉紙５０に設けられている。バーコードリーダ２６が、前記バーコードを検出した場合、バーコードリーダ２６は対応するシグナルを制御装置に伝達し、この場合、枚葉紙の別のグループのための次の枚葉紙５０が第１バックルプレート３０内に導入される前に、前記枚葉紙スタック５１が第１バックルプレート３０を去ったことが確認されるまで、前記制御装置は、吸着ホイール２４による、枚葉紙スタック２２からの次の枚葉紙の取出しを遅延する。
【００２３】
このような検出システムは、枚葉紙の個々のグループの大きさが制御装置によって適合され得ることも可能にする。
【００２４】
最も簡単な形式で、前記検出システムはライトバリアによって形成されおり、このライトバリアが、計数装置を有する制御ユニットに接続されているようにしてもよい。
【００２５】
図８、図９、図１０、図１１、図１２及び図１３に示した、折り装置の第２実施例のバックルフォルダ８０は、図２、図３、図４、図５、図６及び図７に示した実施例のバックルフォルダ１２とは、まず次の点で異なっている。すなわち、この第２実施例では、綴じ頭７４がバックルプレート３０の上方に配置されている。第２バックルプレート３４の代わりに、折りローラ４０，４２の間に設けられたニップの下方の範囲に変向エレメント６０が配置されており、この変向エレメント６０によって、バックルプレート３０から排出された枚葉紙のグループ５１は、折りローラ４２，４４の間に設けられたニップ内に偏向せしめられる。第２バックルプレート７０の開口は、折りローラ４２，４４の間に設けられたニップの側、すなわち偏向エレメント６０とは反対の側に配置されており、第２バックルプレート７０は、第１バックルプレート３０に対して平行に延びている。前記第２バックルプレート７０の開口に隣接して、水平方向の別の折りローラ対６２が配置されており、この折りローラ対６２は、折りローラ４４と、別の折りローラ６４とによって形成されている。折りローラ対６２には、垂直方向の別の折りローラ対６７が後続しており、この折りローラ対６７は、折りローラ６４と、別の折りローラ６６とにより形成されている。別の変向エレメント６８が、折りローラ対６２のニップと、折りローラペア６７のニップとの間に配置されている。
【００２６】
図８〜図１０までに示した方法ステップは、図２〜図４までに示した方法ステップに対応している。唯一の違いは、枚葉紙のグループ５１が綴じ頭７４によって上方から綴じられることであり、これにより、Ｕ字形のステープル５３は、互いに間隔を置いて、上方から枚葉紙のグループ５１に貫通係合せしめられる。この実施例の場合にも、対応プレート（図示しない）が、枚葉紙のグループ５１の、綴じ頭７４とは反対の側に配置されており、枚葉紙のグループ５１を越えて延びる、ステープル５３の端部は、公知の形式で前記対応プレートによって折り曲げられる。
【００２７】
綴じ操作に引き続いて、第１バックルプレート３０のストップ３２は第２折りローラ対４１の方向へ運動せしめられ、これにより、枚葉紙のグループ５１は、このグループ５１の枚葉紙５２の、ストップ３２に向いていない方のエッジが折りローラ４０，４２により把持されるまで変位せしめられる。枚葉紙のグループ５１は、変向エレメント６０に沿って、折りローラ４２，４４の間に設けられたニップ内へ導入され、これらの折りローラ４２，４４により把持され、第２バックルプレート７０内へ搬送される。図１１から判るように、枚葉紙のグループ５１は、第２バックルプレート７０に設けられたストップ７２に接触するやいなや折り曲げられる。なぜならば、前記枚葉紙のグループ５１の引きずられた端部は、折りローラ４２，４４により搬送され続けるからである。これにより、枚葉紙スタック５１には、ステープル５３が固定された折り線３７に沿って折りエッジが形成される。この折りエッジは折りローラ４４，６４により把持され、これにより、枚葉紙スタック５１は、走行方向に対して横方向に折られる。折りローラ４４，６４を後にして、前記枚葉紙は変向エレメント６８によって折りローラ６４，６６の間に設けられたニップ内へ変向され、これらの折りローラ６４，６６によって把持される。図１２に示したように、次いで、枚葉紙のグループ５１は最後の折りローラ対６７を去る。
【００２８】
図８〜図１３までに示した実施例の場合には、枚葉紙スタック５１は第１フォルダで上方から綴じられるが、この場合にも折られた枚葉紙スタック５１に設けられたステープル５３のクロスピースは、外側で折りエッジを支承している。
【００２９】
上に述べた方法の場合には、いずれの場合にも、まず枚葉紙は第１バックルプレート３０内に集められ、これにより、枚葉紙のグループ５１が形成され、この枚葉紙のグループ５１は綴じられ、次いで折られる。しかしながら、上に述べたバックルフォルダ１２，８０によって、複数の個々の枚葉紙５０の代わりに、既に折られた枚葉紙が第１バックルプレートに導入され、綴じられ、この第１バックルプレートから導出され、次いで折られるようにすることも可能である。
【図面の簡単な説明】
【００３０】
【図１】バックルフォルダを有する折り機の第１実施例を示す図である。
【００３１】
【図２】枚葉紙進入前の、図１による折り機のバックルフォルダを示す概略図である。
【００３２】
【図３】第１バックルプレートに複数の枚葉紙が進入した、図２によるバックルフォルダを示す概略図である。
【００３３】
【図４】枚葉紙のグループの変位後の、第２によるバックルフォルダを示す図である。
【００３４】
【図５】枚葉紙のグループが第２バックルプレートのストップに当接した、第２のバックルフォルダを示す図である。
【００３５】
【図６】枚葉紙のグループが折られた、図２のバックルフォルダを示す図である。
【００３６】
【図７】図２によるバックルフォルダの斜視図である。
【００３７】
【図８】枚葉紙進入前の折り機の第２実施例のバックルフォルダを示す概略図である。
【００３８】
【図９】複数の枚葉紙が第１バックルプレートに進入した、図８によるバックルフォルダを示す図である。
【００３９】
【図１０】枚葉紙のグループの変位後の、図８によるバックルフォルダを示す図である。
【００４０】
【図１１】枚葉紙のグループが第２バックルプレートのストップに当接した、図８によるバックルフォルダを示す図である。
【００４１】
【図１２】枚葉紙のグループが折られた、図８によるバックルフォルダを示す図である。
【００４２】
【図１３】図８によるバックルフォルダの斜視図である。
【符号の説明】
【００４３】
１０  折り機、  １２  バックルフォルダ、  １４  第１バックルプレート装置、  １６  第２バックルプレート装置、  １８  整列テーブル、  ２０  残留枚葉紙、  ２２  枚葉紙スタック２２、  ２４  吸着ホイール、  ２６  バーコードリーダ、  ３０  第１バックルプレート、  ３４  第２バックルプレート、  ３７  折り線、  ３８  折りローラ、３９  第１折りローラ対、  ４０  折りローラ、  ４１  第２折りローラ対、  ４２  折りローラ、  ４３  第３折りローラ対、  ４４  折りローラ、  ５１  枚葉紙のグループ、  ５２  綴じ頭、  ５３  ステープル、  ５６  サイドストップ、  ５８  サイドストップ、  ５９  残留枚葉紙、  ６０  変向エレメント、  ６２  折りローラ対、  ６４  折りローラ対、  ６７  折りローラ対、  ６８  変向エレメント、  ７０  バックルプレート、７２  ストップ、  ７４  綴じ頭、    ８０  バックルフォルダ、
【図１】
2004338951.tif 000003
【図２】
2004338951.tif 000004
【図３】
2004338951.tif 000005
【図４】
2004338951.tif 000006
【図５】
2004338951.tif 000007
【図６】
2004338951.tif 000008
【図７】
2004338951.tif 000009
【図８】
2004338951.tif 000010
【図９】
2004338951.tif 000011
【図１０】
2004338951.tif 000012
【図１１】
2004338951.tif 000013
【図１２】
2004338951.tif 000014
【図１３】
2004338951.tif 000015